(57)【要約】【課題】フレーム４と２つの肘掛け５と座部２と、背もたれサポート６を備えた背もたれ３とを有し、前記座部２と背もたれ３とが分割されていて、直接結合されずに互いに別個に、椅子１に配置されている形式の背もたれ固定装置を改良して、簡単かつ安価に製造可能であって、組み付けが簡単で、非常に高い強度が得られる。【解決手段】長い脚部８に、９０°曲げられた短い中間部材９が接続され、この中間部材９に、９０°曲げられた短い終端部材１０が接続されている、２回曲げられた金属湾曲部材７より成り、脚部８と中間部材９との想定平面と、中間部材９と終端部材１０との想定平面とが互いに垂直であり、金属湾曲部材７の長い脚部８が、背もたれフレーム６の長孔１１内に挿入可能で、１回の回転運動で背もたれフレーム６内のロック装置１２内にロック可能であって、金属湾曲部材７の終端部材１０が椅子１のフレーム４に結合可能である。【選択図】図４
2007289705.tif 000002
【特許請求の範囲】
【請求項１】
椅子（１）の背もたれ固定装置であって、前記椅子（１）が、１つのフレーム（４）と２つの肘掛け（５）と１つの座部（２）と、背もたれフレーム（６）を備えた１つの背もたれ（３）とを有しており、前記座部（２）と背もたれ（３）とが分割されていて、直接結合されずに互いに別個に、椅子（１）に配置されている形式のものにおいて、
前記背もたれ固定装置が、２回曲げられた金属湾曲部材（７）より成っていて、該金属湾曲部材（７）は、比較的長い脚部（８）に、９０°曲げられた比較的短い中間部材（９）が接続され、この中間部材（９）に、やはり９０°曲げられた比較的短い終端部材（１０）が接続されることによって形成されており、この場合、長い脚部（８）と短い中間部材（９）とによって形成された想定平面と、該短い中間部材（９）と短い終端部材（１０）とによって形成された想定平面とが互いに垂直に位置しており、金属湾曲部材（７）の長い脚部（８）が、背もたれフレーム（６）に形成された長孔（１１）内に挿入可能で、１回の回転運動によって背もたれフレーム（６）内に設けられたロック装置（１２）内にロック可能であって、金属湾曲部材（７）の終端部材（１０）が椅子（１）のフレーム（４）に結合可能であることを特徴とする、椅子の背もたれ固定装置。
【請求項２】
金属湾曲部材（７）の終端部材（１０）が、肘掛け（５）の下側に配置されたスリーブ（１３）内に挿入可能、かつ固定可能であって、肘掛け（５）が椅子（１）のフレーム（４）上に組み付け可能である、請求項１記載の背もたれ固定装置。
【請求項３】
終端部材（１０）をスリーブ（１３）内に固定する固定手段がねじ（１４，１５）である、請求項２記載の背もたれ固定装置。
【請求項４】
肘掛け（５）とスリーブ（１３）と、前記固定手段（１４）のための受容装置（１７）とが、一体的な部分としてプラスチックより射出成形されている、請求項３記載の背もたれ固定装置。
【発明の詳細な説明】
【技術分野】
【０００１】
本発明は、家具工業の分野に関するものである。本発明は、椅子の背もたれ固定装置であって、前記椅子が、１つのフレームと２つの肘掛けと１つの座部と、背もたれサポートを備えた１つの背もたれとを有しており、前記座部と背もたれとが分割されていて、直接結合されずに互いに別個に、椅子に配置されている形式のものに関する。
【背景技術】
【０００２】
背もたれと座部とが分割して構成されていて、それによって互いに結合されている椅子は公知である。このような形式の従来技術により公知のシートシェルは、背もたれ部と座部との間の移行領域に、座部に対してほぼ平行な、前方に突き出す２つの肘掛けを有している。これらの肘掛けの背もたれ側に、下方に延在する複数のピンが取り付けられており、これらのピンが接続部材例えばねじによってパイプフレームに組み付け可能となっている。この場合、パイプフレームは、片持ち式スイング型椅子又は４本足型椅子が形成されている。同様に、座部及び背もたれを形成する一体的な支持マットが張設されているフレームを備えた椅子も公知である。このような形式の椅子は、座り心地の快適さが低いという欠点がある。
【０００３】
他方では、座部と背もたれとが分割されている椅子も公知である。例えば、ドイツ連邦共和国特許公開第１０２００３５８号明細書には、座部支持体上に座部が取り付けられているオフィス用椅子について開示されている。しかも座部支持体には、ほぼ上方に延在する背もたれ支持体が取り付けられており、この背もたれ支持体の上端部に背もたれが固定されている。このような椅子には肘掛けは設けられていない。ドイツ連邦共和国特許公開第３８２７０５７号明細書には、背もたれと座部との間の領域に背もたれ支持体が設けられていないオフィス用椅子について開示されている。この椅子においては、背もたれ支持体は湾曲ブラケットによって形成されており、この湾曲ブラケットは、それぞれ背もたれの側方及び座部の側方に互いに平行に延在する、ほぼ上方に突き出す２つのアームを備えており、これらのアームに背もたれプレートが取り付けられている。背もたれプレートは一方では座部に固定されていて、他方ではねじ山つきねじによって背もたれに固定されている。
【特許文献１】ドイツ連邦共和国特許公開第１０２００３５８号明細書
【特許文献２】ドイツ連邦共和国特許公開第３８２７０５７号明細書
【発明の開示】
【発明が解決しようとする課題】
【０００４】
本発明は、公知の技術における前記のような欠点を取り除くことを目的としている。そして本発明の課題は、１つのフレームと２つの肘掛けと１つの座部と、背もたれフレーム（背もたれ支持体）を備えた１つの背もたれとを有する椅子で、この場合、前記座部と背もたれとが分割されていて、直接結合されずに互いに別個に椅子に配置されている形式の椅子のための背もたれ固定装置を提供することである。この背もたれ固定装置は、簡単かつ安価に製造可能であって、組み付けが簡単で、非常に高い強度を有しているものでなければならない。
【課題を解決するための手段】
【０００５】
この課題を解決した本発明によれば、背もたれ固定装置が、２回曲げられた金属湾曲部材より成っていて、該金属湾曲部材は、比較的長い脚部に、９０°曲げられた比較的短い中間部材が接続され、この中間部材に、やはり９０°曲げられた比較的短い終端部材が接続されることによって形成されており、この場合、長い脚部と短い中間部材とによって形成された想定平面と、該短い中間部材と短い終端部材とによって形成された想定平面とが互いに垂直に位置しており、金属湾曲部材の長い脚部が、背もたれフレームに形成された長孔内に挿入可能で、１回の回転運動によって背もたれフレーム内に設けられたロック装置内にロック可能であって、金属湾曲部材の終端部材が椅子のフレームに結合可能となっている。
【発明の効果】
【０００６】
本発明による解決策の利点は、背もたれ固定装置が簡単かつ安価に製造できる、という点にある。またこの背もたれ固定装置は、外部から容易に組み付け可能であって、背もたれがフレームだけを介して結合されていて、座部若しくは背もたれ支持体を介して結合されていないにも拘わらず、十分な強度が保証されている。
【０００７】
金属湾曲部材の終端部材が、肘掛けの下側に配置されたスリーブ内に挿入可能、かつ固定可能であって、肘掛けが椅子のフレーム上に組み付け可能であれば、有利である。この場合、固定は有利な形式でねじによって行われる。有利な形式で、肘掛けによって、背もたれフレームに形成された長孔の上部が覆われるようになっており、これによって椅子の美的な外観が改善される。
【０００８】
肘掛けとスリーブと、前記固定手段のための受容装置とが、一体的な部分としてプラスチックより射出成形されていれば、椅子を特に安価に製造することができる。
【０００９】
本発明による背もたれ固定装置は、有利な形式で片持ち式スイング型椅子にも、また４本足型椅子のためにも使用することができる。
【発明を実施するための最良の形態】
【００１０】
図面には本発明の１実施例が示されている。
【００１１】
本発明を説明するために重要な部材だけが示されている。
【００１２】
同一の部材には同一の符号が付けられている。
【００１３】
以下に図１乃至図５及び実施例を用いて本発明を詳しく説明する。
【００１４】
図１及び図２は、それぞれ、本発明による背もたれ固定装置（図１及び図２では見えていない）が組み込まれている椅子の斜視図が示されている。図１には片持ち式スイング型椅子（Freischwingerstuhl）が示されていて、図２には４本足型椅子（Vierbeinstuhl）が示されている。本発明による装置は、２つの型式の椅子に使用することができる。
【００１５】
椅子１は、１つの座部２と、１つの背もたれ３と、１つのフレーム４と、２つの肘掛け５と、図示されていない背もたれ固定装置とから成っている。フレーム４は、有利な形式で金属フレーム特にパイプフレームである。座部２は、フレーム４のクロスバー４′上に載っていて、このクロスバー４′上に有利な形式でねじ結合部によって固定され、それによってフレーム４を支持している。片持ち式スイング型椅子（図１）の場合、１つの前方のクロスバー４′だけが配置されており、４本足型椅子（図２）の場合、前方のクロスバー４′及び後方のクロスバー４′が配置されている。座部２と背もたれ３とは、このような椅子デザインにおいて、分割して構成され、互いに別個に、つまり座部２と背もたれ３とが互いに直接的に結合されずに椅子１に配置されている。背もたれフレーム６とクッション１６とから成る背もたれ３の結合は、フレーム４だけを介して、しかも背もたれフレーム６の両側において行われる。背もたれフレーム６は安価にプラスチックより製造されている。
【００１６】
図３には、本発明による金属湾曲部材７の斜視図が示されている。金属湾曲部材７は、２回曲げられて、その比較的長い脚部８に、９０°曲げられた比較的短い中間部材９に接続され、この中間部材９に、やはり９０°曲げられた比較的短い終端部材１０が接続されており、この場合、長い脚部８と中間部材９とから構成された想定平面と、中間部材９と終端部材１０とから構成された想定平面とは、互いに垂直に位置している。
【００１７】
図４には、背もたれフレーム６内にロックされた金属湾曲部材７の斜視図が示されている。金属湾曲部材７は、その長い方の脚部８で以て、背もたれフレーム６に形成された長孔１１を通って、背もたれフレーム６内に挿入され、１回の回転運動によってロック装置１２（背もたれフレーム６の内側に配置されている）内に入れられて、ここでロックされる。この場合、脚部８は、ロックされた状態で垂直下方に延在していて、それによって背もたれフレーム６のサイド部分に対してほぼ平行に配置されており、一方金属湾曲部材７の終端部材１０と中間部材９とは脚部８に対して直角に配置されている。終端部材１０は、座部２に向かって前方を向いていて、図５に示されているように椅子１のフレーム４に結合されている。
【００１８】
図５に示した分解図に、本発明による背もたれ固定装置の各組み込み段階が示されている。金属湾曲部材７の終端部材１０は、肘掛け５の下側に配置されたスリーブ１３内に挿入され、ねじ１４によって固定される。このねじ１４は同様に肘掛け５の下側に配置された受容装置１７内にねじ込まれる。次いで背もたれ３が、背もたれ固定装置及び肘掛け５と共に座部２に向かってスライドされ、スリーブ１３がフレーム４内に挿入されて、肘掛け５が椅子１のフレーム４上に組み付けられる。この場合、固定は有利な形式で、フレーム４によって肘掛け５内にねじ込まれるねじ１５によって行われる。
【００１９】
このようにして固定された肘掛け５は、背もたれフレーム６に形成された長孔１１の（この状態で有利には）上部を覆い、それによって椅子の美的な外観が得られる。有利な形式で、肘掛け５は、スリーブ１３及び、ねじ１４のための受容装置１７と一体的に構成されていて、例えば一体部分としてプラスチックより射出成形されている。これによって椅子を特に安価に製造することができる。
【００２０】
本発明による装置は、製造及び取り扱いが簡単である。この装置は、有利には外部から組み付けることができる。しかもこの装置は安価である。背もたれ３の結合はフレーム４を介して簡単に行うことができるにも拘わらず、十分な強度が得られる。
【図面の簡単な説明】
【００２１】
【図１】本発明による、背もたれ固定装置が組み込まれている（図面では見えない）、片持ち式スイング型椅子として構成された椅子の斜視図である。
【図２】本発明による、背もたれ固定装置が組み込まれている（図面では見えない）、４本足型椅子として構成された椅子の斜視図である。
【図３】本発明による金属湾曲部材の斜視図である。
【図４】背もたれフレーム内に錠止された金属湾曲部材の斜視図である。
【図５】背もたれ固定装置を組み込む段階を示す分解図である。
【符号の説明】
【００２２】
１  椅子、  ２  座部、  ３  背もたれ、  ４  フレーム、  ４′  フレームのクロスバー、  ５  肘掛け、  ６  背もたれフレーム、  ７  金属湾曲部材、  ８  金属湾曲部材の長い方の脚部、  ９  金属湾曲部材の中間部材、  １０  金属湾曲部材の終端部材、  １１  長孔、  １２  ロック装置、  １３  スリーブ、  １４，１５  ねじ、  １６  クッション、  １７  受容装置
【図１】
2007289705.tif 000003
【図２】
2007289705.tif 000004
【図３】
2007289705.tif 000005
【図４】
2007289705.tif 000006
【図５】
2007289705.tif 000007